(57)【要約】【課題】心理的負担なしに生体情報の把握を簡素化し自律的なセルフマネージメントの継続化を図る。【解決手段】生体情報の自己管理システム２は、利用者Ｕの身体に装着され血糖値の測定値と測定時間を生体情報として取得して経時的に記録する血糖値センサ３と、記録された生体情報を読み取るリーダー４と、リーダー４から記録された生体情報を受け取り、生体情報のデータをデータ処理するＰＣ５と、ＰＣ５によりデータ処理された結果レポートＲを外部に送信する送信部６と、利用者Ｕに持ち運びされ、ＰＣ５の送信部６から受け取った結果レポートＲを所定時間または所定期間マスクした後、表示可能とする携帯端末７とを備えている。血糖値センサ３を通じて得られた血糖値の経時的データは、リーダー４を介してＰＣ５でデータ処理され、結果レポートＲとして携帯端末７に表示される。【選択図】図１
2020123084.tif 000002
【特許請求の範囲】
【請求項１】
利用者自身の生体情報を把握して自己管理を行う自己管理システムであって、
利用者の身体から生体情報を取得して記録し、記録された生体情報を読み取り、読み取られた生体情報のデータをデータ処理し、データ処理された生体情報を利用者の端末に表示することを特徴とする生体情報の自己管理システム。
【請求項２】
利用者自身の生体情報を把握して自己管理を行う自己管理システムであって、
利用者の生体情報を取得して記録する生体情報取得手段と、
記録された生体情報を読み取り、読み取られた生体情報のデータをデータ処理する情報処理手段と、
情報処理手段によりデータ処理された情報を利用者の端末に表示する表示手段とを備えたことを特徴とする請求項１に記載の生体情報の自己管理システム。
【請求項３】
利用者自身の生体情報を把握して自己管理を行う自己管理システムであって、
利用者の生体情報を取得して記録する生体情報取得手段と、
記録された生体情報を読み取る読み取り手段と、
読み取り手段から記録された生体情報を受け取り、生体情報のデータをデータ処理する情報処理手段と、
情報処理手段によりデータ処理された情報を利用者の端末に表示する表示手段とを備えたことを特徴とする請求項１に記載の生体情報の自己管理システム。
【請求項４】
利用者の端末は、通信を通じて専門機関の端末と遣り取り可能に接続され、
この専門機関の端末は、利用者の端末からデータ処理された情報を受け取ると、前記専門機関の専門家が、受け取った利用者の生体情報に基づいて利用者に対するアドバイスを作成し、そのアドバイスを利用者の端末に返送することを特徴とする請求項２または３に記載の生体情報の自己管理システム。
【請求項５】
生体情報に対するアドバイスは、健康、生活習慣または医療のうち少なくともいずれか１についての専門的アドバスが含まれることを特徴とする請求項４に記載の生体情報の自己管理システム。
【請求項６】
ある利用者について異なる分野の専門機関の専門家の端末を連携させ、当該利用者に関する異なる分野の専門機関の専門家のアドバイスを、当該異なる専門家同士に閲覧可能に提供するプラットホーム手段を備えたことを特徴とする請求項４または５に記載の生体情報の自己管理システム。
【請求項７】
表示手段による表示を所定時間または所定期間阻止するマスク手段を備えたことを特徴とする請求項２ないし４のうちいずれか１に記載の生体情報の自己管理システム。
【請求項８】
生体情報取得手段は、利用者の身体に装着されることを特徴とする請求項２または３に記載の生体情報の自己管理システム。
【請求項９】
生体情報は、経時的に取得され、取得された経時的データに基づいて、図または表により表示されることを特徴とする請求項１ないし４のうちいずれか１に記載の生体情報の自己管理システム。
【請求項１０】
生体情報は、所定時間経過後または所定期間経過後の情報が比較して表示されることを特徴とする請求項１ないし９のうちいずれか１に記載の生体情報の自己管理システム。
【請求項１１】
生活情報を入力する生活情報入力手段を備え、
情報処理手段は、生活情報入力手段から受け取った生活情報を生体情報と関連付けしてデータ処理することを特徴とする請求項１ないし１０のうちいずれか１に記載の生体情報の自己管理システム。
【請求項１２】
生活情報には、食事の情報、運動の内容とその時間、起床と就寝との時刻、心理的ストレスの度合い、服薬情報および保健機能性食品の摂取情報のうち少なくともいずれか１の情報が含まれることを特徴とする請求項１１に記載の生体情報の自己管理システム。
【請求項１３】
表示手段は、情報処理手段によりデータ処理された情報を結果レポートとして出力する結果レポート出力手段を有することを特徴とする請求項１ないし１２のうちいずれか１に記載の生体情報の自己管理システム。
【請求項１４】
生体情報は、血糖値、ヘモグロビンＡ１ｃ、コレステロール値、中性脂肪値のうち少なくともいずれか１を含むことを特徴とする請求項１ないし１３のうちいずれか１に記載の生体情報の自己管理システム。
【請求項１５】
生体情報は、健康診断の検査項目のうち少なくともいずれか１を含むことを特徴とする請求項１ないし１４のうちいずれか１に記載の生体情報の自己管理システム。
【請求項１６】
情報処理部は、利用者の端末、センターサーバまたはクラウドコンピュータにより構成されることを特徴とする請求項２または３に記載の生体情報の自己管理システム。
【請求項１７】
利用者自身の生体情報を把握して自己管理を行う自己管理方法であって、
利用者の身体から生体情報を取得して記録し、記録された生体情報を読み取り、読み取られた生体情報のデータをデータ処理し、データ処理された生体情報を利用者の端末に表示することを特徴とする生体情報の自己管理方法。
【請求項１８】
利用者自身の生体情報を把握して自己管理を行う自己管理方法であって、
利用者の身体に装着された生体情報取得手段により、生体情報を取得して記録する第１のステップと、
情報処理手段により、記録された生体情報を読み取り、読み取られた生体情報のデータをデータ処理する第２のステップと、
表示手段により、データ処理された情報を利用者の端末に表示する第３のステップとを有することを特徴とする請求項１７に記載の生体情報の自己管理方法。
【請求項１９】
利用者自身の生体情報を把握して自己管理を行う自己管理方法であって、
利用者の身体に装着された生体情報取得手段により、生体情報を取得して記録する第１のステップと、
読み取り手段により、記録された生体情報を読み取る第２のステップと、
情報処理手段により、読み取り手段から記録された生体情報を受け取り、生体情報のデータをデータ処理する第３のステップと、
表示手段により、データ処理された情報を利用者の端末に表示する第４のステップとを有することを特徴とする請求項１７に記載の生体情報の自己管理方法。
【請求項２０】
利用者の端末は、通信を通じて専門機関の端末と遣り取り可能に接続され、
この専門機関の端末は、利用者の端末からデータ処理された情報を受け取ると、前記専門機関の専門家が、受け取った利用者の生体情報に基づいて利用者に対するアドバイスを作成し、そのアドバイスを利用者の端末に返送することを特徴とする請求項１８または１９に記載の生体情報の自己管理方法。
【請求項２１】
利用者の身体に装着され生体情報を取得して記録する生体情報取得装置と、
生体情報取得装置から記録された生体情報を読み取り、生体情報のデータをデータ処理する情報処理部を備えた端末と、
端末に設けられ、情報処理部によりデータ処理された情報を利用者の端末に表示する表示部とを備えたことを特徴とする生体情報の自己管理に用いられる装置。
【請求項２２】
利用者の身体に装着され生体情報を取得して記録する生体情報取得装置と、
記録された生体情報を読み取る読み取り装置と、
読み取り装置から記録された生体情報を受け取り、生体情報のデータをデータ処理する情報処理部を備えた端末と、
端末に設けられ、情報処理部によりデータ処理された情報を利用者の端末に表示する表示部とを備えたことを特徴とする生体情報の自己管理に用いられる装置。
【発明の詳細な説明】
【技術分野】
【０００１】
本発明は、血糖値等の生体情報を自己管理する生体情報の自己管理システムおよびその方法ならびにそれらに用いられる装置に関するものである。
【背景技術】
【０００２】
従来、測定された食事前後の血糖値情報とその情報が得られた測定時刻とに基づいて、食事前後の血糖値情報の変化を分析し、その分析結果に基づいて、食事に関するアドバイスを提供するアドバイス提供システムが知られている（例えば、特許文献１参照）。
【０００３】
また、電子機器のコンピュータに、生体情報を取得させ、取得した生体情報から予測される所定時間後の生体情報に基づいて提案を行う処理を実行させ、摂食情報を取得したり、行動に関する予定情報を取得すると、それら摂食情報や、行動に関する予定情報に基づいて、睡眠や運動や食事に関する提案を行うようにしたものが知られている（例えば、特許文献２参照）。
【先行技術文献】
【特許文献】
【０００４】
【特許文献１】特許６２８５０８６号公報
【特許文献２】特開２０１８−５５１２号公報
【発明の概要】
【発明が解決しようとする課題】
【０００５】
しかしながら、上記従来のアドバイス提供システムでは、利用者は、自らの実際の生体情報を把握することなく、一方的に生体情報データがセンター側や管理側に送られ、アルゴリズムに基づいてアドバイスや提案を画一的に受けるようになっている。このため、利用者個人は、受けたアドバイスや提案から、利用者個人の摂食行動との因果関係や運動との因果関係を思い起こして、どのような摂食行動や運動が適切だったか、不適切だったかを判断しなければならない。また、摂食行動時や運動時にアドバイスや提案を受けると、心理的に依存性が高まり、自己管理による積極性を減じる虞がある。また、摂食行動中や運動中に絶えず画一的なアドバイスや提案などで頻繁に指図を受けると、心理的負担を感じ、慣れから無視するようになるという問題があり、好ましい摂食行動や適切な運動を自ら考えて行おうとする自律的な動機付けが低下しがちになるという問題がある。
【０００６】
本発明は上記課題を解決するためになされたもので、第１には、簡素な構成で、外部からの画一的なアドバイスや提案に頼らず、利用者自らが摂食行動や運動との因果関係を簡便に把握し、自発的、自律的に好ましい摂食行動を取ったり、適切な運動を行うようにセルフマネージメントすることができるとともに、心理的負担が少なく、個人の自主性に委ねることで生体情報チェックの継続性を確保することができる生体情報の自己管理システムおよびその方法ならびにそれらに用いられる装置を提供することを目的としている。また、第２には、自己管理している生体情報に基づいて、画一的でない、利用者毎に利用者に応じたきめ細かい専門家のアドバイスを受けることができる生体情報の自己管理システムおよびその方法ならびにそれらに用いられる装置を提供することを目的としている。
【課題を解決するための手段】
【０００７】
本発明に係る請求項１に記載の生体情報の自己管理システムは、利用者自身の生体情報を把握して自己管理を行う自己管理システムであって、利用者の身体から生体情報を取得して記録し、記録された生体情報を読み取り、読み取られた生体情報のデータをデータ処理し、データ処理された生体情報を利用者の端末に表示すようにしたことを特徴とするものである。
【０００８】
本発明の請求項１に係る生体情報の自己管理システムでは、利用者自身の生体情報を把握して自己管理を行う自己管理システムであって、利用者の身体から生体情報を取得して記録し、記録された生体情報を読み取り、読み取られた生体情報のデータをデータ処理し、データ処理された生体情報を利用者の端末に表示するようにしたので、利用者の生体情報を取得して記録し、記録された生体情報を読み取り、読み取った生体情報をデータ処理すると、利用者の端末にデータ処理された生体情報を表示させることができる。従って、利用者は、いつでもどこでも自らの端末に自らの生体情報を表示することができ、生体情報を簡便に把握することができる。このため、利用者は、心理的負担なしに自発的、自律的に好ましい摂食行動を取ったり、適切な運動を行うように自己管理することができ、生体情報チェックの継続をはかることができる。
【０００９】
また、上記本発明に係る生体情報の自己管理システムでは、利用者自身の生体情報を把握して自己管理を行う自己管理システムであって、利用者の生体情報を取得して記録する生体情報取得手段と、記録された生体情報を読み取り、読み取られた生体情報のデータをデータ処理する情報処理手段と、情報処理手段によりデータ処理された情報を利用者の端末に表示する表示手段とを備えるようにすることが好ましい。係る構成とすることにより、情報処理手段が生体情報取得手段から記録された生体情報を読み取り、読み取られた生体情報のデータをデータ処理するようにしているので、情報処理手段と表示手段とを端末で構成すれば、簡易に生体情報を表示することができる。さらに、利用者自身の生体情報を把握して自己管理を行う自己管理システムであって、利用者の生体情報を取得して記録する生体情報取得手段と、記録された生体情報を読み取る読み取り手段と、読み取り手段から記録された生体情報を受け取り、生体情報のデータをデータ処理する情報処理手段と、情報処理手段によりデータ処理された情報を利用者の端末に表示する表示手段とを備えるようにすることが好ましい。係る構成とすることにより、生体情報読み取り手段を通じて生体情報の記録を読み取り収集するので、生体情報法取得手段を簡素化小型化することができ、身体への負担感を減じることができる。また、利用者の端末は、通信を通じて専門機関の端末と遣り取り可能に接続され、この専門機関の端末は、利用者の端末からデータ処理された情報を受け取ると、前記専門機関の専門家が、受け取った利用者の生体情報に基づいて利用者に対するアドバイスを作成し、そのアドバイスを利用者の端末に返送するようにすることが好ましい。係る構成とすることにより、画一的でない、利用者に応じたきめ細かいアドバイスを行うことができる。さらに、生体情報に対するアドバイスは、健康、生活習慣または医療のうち少なくともいずれか１についての専門的アドバスが含まれるようにしてもよい。また、ある利用者について異なる分野の専門機関の専門家のアドバイスを連携させ、当該利用者に関わる異なる分野の専門機関の専門家のアドバイスを、当該異なる専門家同士に閲覧可能に提供するプラットホーム手段を備えることが好ましい。係る構成とすることにより、異なる分野の専門機関の専門家は、ある利用者について、他の専門家と連携し他の専門家のアドバイスを閲覧して参照し、利用者にアドバイスを行うことができるので、日常生活についてよりきめ細かく、具体的で正確なアドバイスを提供することができる。利用者は、専門家との面接または端末を通じて、異なる分野の専門機関の専門家からの多元的なアドバイスを一元的に受けることができる。表示手段による表示を所定時間または所定期間阻止するマスク手段を備えることが好ましい。係る構成とすることにより、利用者は所定時間または所定期間、結果を見ることができないので、リアルで素の生体情報を得ることができ、マスクされた期間を振り返り、日常生活についての問題点を把握して改善につながりやすくなり、利用者のモチベーションを良好に維持することができる。専門機関の専門家は、利用者のマスクされた期間について、リアルで素の生体情報が入手できるので、適切なアドバイスをすることができる。
【００１０】
また、上記本発明に係る生体情報の自己管理システムでは、生体情報取得手段は、利用者の身体に装着されることが好ましい。係る構成とすることにより、着脱の必要がなく、煩わしさを避けることができるので、自己管理しやすくなる。さらに、生体情報は、経時的に取得され、取得された経時的データに基づいて、図または表により表示されるようにしてもよい。係る構成とすることにより、経時的変化を図または表で確認でき、生体情報の変化を把握しやすくなる。また、生体情報は、所定時間経過後または所定期間経過後の情報が比較して表示されることが好ましい。係る構成とすることにより、生体情報の変化を時間を置いて比較することができるので、好転すれば、生活のあり方に自信を持つことができ、悪化すれば、心当たりを探し出して、自律的に生活を変えるモチベーションを与えることができ、自己管理の継続性を向上させることができる。さらに、生活情報を入力する生活情報入力手段を備え、情報処理手段は、生活情報入力手段から受け取った生活情報を生体情報と関連付けしてデータ処理することが好ましい。係る構成とすることにより、生体情報と生活情報とをリンクさせることができ、より自発性、自律性を高めることができる。また、生活情報には、食事の情報、運動の内容とその時間、起床と就寝との時刻、心理的ストレスの度合い、服薬情報および保健機能性食品の摂取情報のうち少なくともいずれか１の情報が含まれるようにしてもよい。さらに、表示手段は、情報処理手段によりデータ処理された情報を結果レポートとして出力する結果レポート出力手段を有するようにしてもよい。係る構成とすることにより、結果レポートに基づいて専門家から適切なアドバイスを受けることができる。また、生体情報は、血糖値、ヘモグロビンＡ１ｃ、コレステロール値、中性脂肪値のうち少なくともいずれか１を含むようにしてもよい。さらに、生体情報は、健康診断の検査項目のうち少なくともいずれか１を含むようにしてもよい。また、情報処理部は、利用者の端末、センターサーバまたはクラウドコンピュータにより構成されるようにしてもよい。
【００１１】
本発明に係る請求項１７に記載の生体情報の自己管理方法は、利用者自身の生体情報を把握して自己管理を行う自己管理方法であって、利用者の身体から生体情報を取得して記録し、記録された生体情報を読み取り、読み取られた生体情報のデータをデータ処理し、データ処理された生体情報を利用者の端末に表示することを特徴とするものである。
【００１２】
本発明の請求項１７に係る生体情報の自己管理方法では、利用者自身の生体情報を把握して自己管理を行う自己管理方法であって、利用者の身体から生体情報を取得して記録し、記録された生体情報を読み取り、読み取られた生体情報のデータをデータ処理し、データ処理された生体情報を利用者の端末に表示するようにしたので、利用者の生体情報を取得して記録し、記録された生体情報を読み取り、読み取った生体情報をデータ処理すると、利用者の端末にデータ処理された生体情報を表示させることができる。従って、利用者は、いつでもどこでも自らの端末に自らの生体情報を表示することができ、生体情報を簡便に把握することができる。このため、利用者は、心理的負担なしに自発的、自律的に好ましい摂食行動を取ったり、適切な運動を行うように自己管理することができ、生体情報チェックの継続をはかることができる。
【００１３】
また、上記本発明に係る生体情報の自己管理方法では、利用者自身の生体情報を把握して自己管理を行う自己管理方法であって、利用者の身体に装着された生体情報取得手段により、生体情報を取得して記録する第１のステップと、情報処理手段により、記録された生体情報を読み取り、読み取られた生体情報のデータをデータ処理する第２のステップと、表示手段により、データ処理された情報を利用者の端末に表示する第３のステップとを有することが好ましい。係る構成とすることにより、情報処理手段と表示手段とを端末で構成すれば、簡易に生体情報を表示することができる。さらに、利用者自身の生体情報を把握して自己管理を行う自己管理方法であって、利用者の身体に装着された生体情報取得手段により、生体情報を取得して記録する第１のステップと、読み取り手段により、記録された生体情報を読み取る第２のステップと、情報処理手段により、読み取り手段から記録された生体情報を受け取り、生体情報のデータをデータ処理する第３のステップと、表示手段により、データ処理された情報を利用者の端末に表示する第４のステップとを有することが好ましい。係る構成とすることにより、生体情報読み取り手段を通じて生体情報の記録を読み取り収集するので、生体情報法取得手段を簡素化小型化することができ、身体への負担感を減じることができる。また、利用者の端末は、通信を通じて専門機関の端末と遣り取り可能に接続され、この専門機関の端末は、利用者の端末からデータ処理された情報を受け取ると、前記専門機関の専門家が、受け取った利用者の生体情報に基づいて利用者に対するアドバイスを作成し、そのアドバイスを利用者の端末に返送することが好ましい。係る構成とすることにより、画一的でない、利用者に応じたきめ細かいアドバイスを行うことができる。
【００１４】
本発明の請求項２１に係る生体情報の自己管理に用いられる装置は、利用者の身体に装着され生体情報を取得して記録する生体情報取得装置と、生体情報取得装置から記録された生体情報を読み取り、生体情報のデータをデータ処理する情報処理部を備えた端末と、端末に設けられ、情報処理部によりデータ処理された情報を利用者の端末に表示する表示部とを備えたことを特徴としている。
【００１５】
本発明の請求項２１に係る生体情報の自己管理に用いられる装置では、利用者の身体に装着され生体情報を取得して記録する生体情報取得装置と、生体情報取得装置から記録された生体情報を読み取り、生体情報のデータをデータ処理する情報処理部を備えた端末と、端末に設けられ、情報処理部によりデータ処理された情報を利用者の端末に表示する表示部とを備えるようにしているので、生体情報取得装置により、利用者の生体情報を取得して記録し、端末の情報処理部より、記録された生体情報を読み取り、読み取った生体情報をデータ処理すると、端末の表示部により、利用者の端末にデータ処理された生体情報を表示させることができる。従って、利用者は、いつでもどこでも自らの端末に自らの生体情報を表示することができ、生体情報を簡便に把握することができる。このため、利用者は、心理的負担なしに自発的、自律的に好ましい摂食行動を取ったり、適切な運動を行うように自己管理することができ、生体情報チェックの継続をはかることができる。
【００１６】
本発明の請求項２２に係る生体情報の自己管理に用いられる装置は、利用者の身体に装着され生体情報を取得して記録する生体情報取得装置と、記録された生体情報を読み取る読み取り装置と、読み取り装置から記録された生体情報を受け取り、生体情報のデータをデータ処理する情報処理部を備えた端末と、端末に設けられ、情報処理部によりデータ処理された情報を利用者の端末に表示する表示部とを備えたことを特徴としている。
【００１７】
本発明の請求項２２に係る生体情報の自己管理に用いられる装置では、利用者の身体に装着され生体情報を取得して記録する生体情報取得装置と、記録された生体情報を読み取る読み取り装置と、読み取り装置から記録された生体情報を受け取り、生体情報のデータをデータ処理する情報処理部を備えた端末と、端末に設けられ、情報処理部によりデータ処理された情報を利用者の端末に表示する表示部とを備えるようにしているので、生体情報取得装置により、利用者の生体情報を取得して記録し、読み取り装置により、記録された生体情報を読み取り、端末の情報処理部により、読み取った生体情報をデータ処理すると、端末の表示部により、利用者の端末にデータ処理された生体情報を表示させることができる。従って、利用者は、いつでもどこでも自らの端末に自らの生体情報を表示することができ、生体情報を簡便に把握することができる。このため、利用者は、心理的負担なしに自発的、自律的に好ましい摂食行動を取ったり、適切な運動を行うように自己管理することができ、生体情報チェックの継続をはかることができる。
【発明の効果】
【００１８】
本発明の請求項１に係る生体情報の自己管理システムでは、利用者自身の生体情報を把握して自己管理を行う自己管理システムであって、利用者の身体から生体情報を取得して記録し、記録された生体情報を読み取り、読み取られた生体情報のデータをデータ処理し、データ処理された生体情報を利用者の端末に表示すようにしたので、利用者自らが摂食行動や運動との因果関係を簡便に把握し、自発的、自律的に好ましい摂食行動を取ったり、適切な運動を行うようにセルフマネージメントすることができるとともに、心理的負担が少なく、個人の自主性に委ねることで生体情報チェックの継続性を確保することができる。
【００１９】
また、本発明の請求項１７に係る生体情報の自己管理方法では、利用者自身の生体情報を把握して自己管理を行う自己管理方法であって、利用者の身体から生体情報を取得して記録し、記録された生体情報を読み取り、読み取られた生体情報のデータをデータ処理し、データ処理された生体情報を利用者の端末に表示するようにしたので、利用者自らが摂食行動や運動との因果関係を簡便に把握し、自発的、自律的に好ましい摂食行動を取ったり、適切な運動を行うようにセルフマネージメントすることができるとともに、心理的負担が少なく、個人の自主性に委ねることで生体情報チェックの継続性を確保することができる。
【００２０】
さらに、本発明の請求項２１に係る生体情報の自己管理に用いられる装置では、利用者の身体に装着され生体情報を取得して記録する生体情報取得装置と、生体情報取得装置から記録された生体情報を読み取り、生体情報のデータをデータ処理する情報処理部を備えた端末と、端末に設けられ、情報処理部によりデータ処理された情報を利用者の端末に表示する表示部とを備えているので、利用者は、いつでもどこでも自らの端末に自らの生体情報を表示することができ、生体情報を簡便に把握することができる。
【００２１】
さらに、本発明の請求項２２に係る生体情報の自己管理に用いられる装置では、利用者の身体に装着され生体情報を取得して記録する生体情報取得装置と、記録された生体情報を読み取る読み取り装置と、読み取り装置から記録された生体情報を受け取り、生体情報のデータをデータ処理する情報処理部を備えた端末と、端末に設けられ、情報処理部によりデータ処理された情報を利用者の端末に表示する表示部とを備えているので、読み取り装置を介して端末に表示することができ、いつでもどこでも自らの端末に自らの生体情報を表示することができ、生体情報を簡便に把握することができるとともに、生体情報取得装置や端末の簡素化、小型化を図ることができる。
【図面の簡単な説明】
【００２２】
【図１】図１は、本発明の第１および第２の実施形態に係る生体情報の自己管理システムの全体構成を模式的に示す全体構成図である。
【図２】図２の（Ａ）ないし（Ｃ）はそれぞれ、図１の生体情報の自己管理システムに用いられる血糖値センサと、このセンサを身体に貼り付けるアプリケータと、血糖値センサに記録された血糖値情報を読み取るリーダーをそれぞれ示す斜視図である。
【図３】図３の（Ａ）ないし（Ｃ）はそれぞれ、センサの装着を示す説明図、リーダによる読み取りを示す説明図、リーダーからデータを受け取るＰＣを示す説明図である。
【図４】図４は、図１の生体情報の自己管理システムにより得られた結果レポートの一例を示す説明図である。
【図５】図５の（Ａ）、（Ｂ）はそれぞれ、食後高血糖の人について、１日の血糖値の遷移を示すグラフおよび食後の血糖値上昇パターンを示すグラフである。
【図６】図６は、図１の生体情報の自己管理システムを用いてセンサの装着から結果レポートを利用者の端末に表示させるまでの工程を示すフローチャートである。
【図７】図７は、本発明の第２の実施形態に係る生体情報の自己管理システムを示すもので、生体情報に生活情報のデータを反映させてデータ処理して利用者の端末に表示させるまでの工程を示すフローチャートである。
【図８】図８は、糖尿病予防を目的とした血糖トレンドの「見える化」を説明する説明図である。
【図９】図９は、図７の第２の実施形態に係る生体情報の自己管理システムにおいて、利用者の携帯端末で入力する生活情報の例を示す説明図である。
【図１０】図１０の（Ａ）ないし（Ｃ）はそれぞれ、食後血糖値と食後経過時間との関係を示すグラフで、（Ａ）は食事内容と食後経過時間との関係を、（Ｂ）は運動と食後経過時間との関係を、（Ｃ）は保健機能性食品の摂取と食後経過時間との関係をそれぞれ示している。
【図１１】図１１は、結果レポートの一例を示す説明図である。
【図１２】図１２は、結果レポートにおいて、生活習慣と血糖トレンドとの関係を示す説明図である。
【図１３】図１３は、結果レポートにおいて、食事ごとのグルコース値変動を示す説明図である。
【図１４】図１４は、結果レポートに基づいて、気をつけるべき食事をランキングして示す説明図である。
【図１５】図１５は、結果レポートでセルフチェックしている利用者を示す説明図である。
【図１６】図１６は、本発明の第３の実施形態に係る生体情報の自己管理システムの全体構成を模式的に示す全体構成図である。
【図１７】図１７は、図１８生体情報の自己管理システムを用いてセンサの装着から利用者の端末を用いて生体情報のデータを専門機関に送信し、アドバイスを受けるまでのまでの工程を示すフローチャートである。
【図１８】図１８は、専門機関（保健師・管理栄養士・医師）からのアドバイスを活用する例を示す説明図である。
【発明を実施するための形態】
【００２３】
以下、図面に示す第１の実施形態により本発明を説明する。本発明の第１の実施形態に係る生体情報の自己管理システム２は、例えば、図１に示すように、利用者Ｕの身体に装着され、利用者の血糖値情報（生体情報）を測定して記録する血糖値センサ（生体情報取得装置、生体情報取得手段）３（図２の（Ａ）参照）と、この血糖値センサに記録された血糖値情報を読み取るリーダー（読み取り装置、読み取り手段）４（図２の（Ｃ）参照）と、リーダー４に記録された血糖値情報を受け取ってデータ処理し、経時的な血糖値データを図または表のデータとして出力するＰＣ（パーソナルコンピュータ、情報処理部、情報処理手段、プラットホーム手段、マスク手段）５と、ＰＣ５に内蔵され、ＰＣ５によりデータ処理された情報（結果レポート）Ｒを外部に送信する送信部（送信手段）６と、利用者Ｕに携帯され、ＰＣ５の通信部６から送られてきた結果レポートＲを表示する表示する表示部（表示手段）１０を有する利用者Ｕの携帯端末（モバイルフォン、タブレット端末、ノートＰＣ）７と、ＰＣ５に電気的に接続され、結果レポートＲを印刷可能なプリンタ８とを備えて構成される。
【００２４】
利用者Ｕの血糖値情報は、経皮センサとしての血糖値センサ３により経時的に測定される。血糖値センサ３は、測定された血糖値と測定時間とを所定時間ごとに取得して、生体情報として記録されるようになっている。本実施形態では、例えば、血糖値センサ３は直径３５mm、厚さは５mmの小型の円盤状に形成され、１分毎にグルコース値を測定しては自動的に記録するようになっている。そして、最長１４日間連続使用が可能となっている。血糖値センサ３は、図３の（Ａ）に示すように、アプリケータ９により利用者Ｕの腕に装着される。装着時、採血は不要で、測定時にも痛みを感じることがないようになっている。装着された血糖値センサ３を図示しないサポータで覆うようにしてもよい。リーダー４は、利用者が帰宅した際などに、センサ３に記録された血糖値情報の経時的データ（測定された血糖値の測定値とその測定時間）を読み取るようになっている。リーダー４により読み取られた血糖値情報の経時的データは無線または有線によりＰＣ５に送信される。ＰＣ５には、リーダー４から受け取った経時的データが蓄積される。ＰＣ５は、蓄積された生体情報の経時的データをデータ処理し、図４および図５に示すように、計測された時間をｘ軸、計測された血糖値の値をｙ軸とするグラフを作成する。ここでいう血糖値は、グルコース値（ブドウ糖）をいう。ＰＣ５でデータ処理された結果レポートＲは、通信部６により利用者Ｕに持ち運びされる携帯端末７に送信されて、画面に表示されるようになっている。また、この結果レポートＲは、ＰＣ５によりプリンタ８で紙に印刷することもできるようになっている。
【００２５】
例えば、図４に示す結果レポートＲのグラフでは、血糖値の値は４０から２５０mg/dLの範囲で、時間は午前０時から２４時間の間の１５分毎のデータが反映されるようになっている。この自己管理システム２では、最長１４日間、持続的に測定と記録が行われ、リーダー４により読み取られるようになっている。また、図５の（Ａ）は、利用者Ｕが食後高血糖の人の場合の、１日の血糖値の遷移を示すグラフからなる結果レポートを示し、図５の（Ｂ）は、同じく利用者Ｕが食後高血糖の人の場合の、食後の血糖値の上昇パターンを示すグラフからなる結果レポートをそれぞれ示し、食後高血糖の利用者Ｕの場合の食後の血糖値の上昇パターン（丸囲み文字番号２）を、健康な人の場合（丸囲み文字番号１）と糖尿病の人の場合（丸囲み文字番号３）と比較している。これら結果レポートＲは、利用者Ｕの携帯端末７に表示されるようになっている。この２４時間のデータは、ＰＣ５に時間を設定すると、その間はデータ処理された結果レポートＲの表示が阻止されてマスクされるようになっている。つまり、２４時間後に結果レポートＲが表示されるようになっている。なお、本実施形態では、マスクする期間を２４時間としているが、これに限られるものではなく所定期間（数日から数週間のうち適切な期間）としてもよい。また、図４に示す結果レポートにおける血糖値の範囲については、４０から２５０mg/dLとしているが、血糖値センサ３自体の取得範囲が４０〜５００mg/dLであることに基づいている。結果レポートにおける血糖値の範囲については、４０から２５０mg/dLに限られるものではなく、センサの性能に応じて上限値や下限値を適宜変更してもよいことは言うまでもない。
【００２６】
なお、上記第１の実施形態では、情報処理部（情報処理手段）として利用者ＵのＰＣ５を例示しているがこれに限られるものではなく、図１に示すように、クラウドコンピュータであってもよいし、専門機関や専門の会社のサーバであってもよいし、後述するように利用者Ｕの携帯端末７がその機能を果たすように構成してもよいことは言うまでもない。さらに、本実施形態では、リーダー４を独立に設けているが、アダプタを介して利用者Ｕの携帯端末７に接続して使用するようにしてもよい。
【００２７】
また、上記第１の実施形態では、生体情報として血糖値（グルコース値）を例示しているが、これに限られるものではなく、ヘモグロビンＡ１ｃ、コレステロール値、中性脂肪値のうちいずれかを含めて測定するようにしてもよい。また、糖尿病に関連する生体情報だけでなく、塩分、ｐＨ、クレアチニン値、血中酸素濃度、心理的ストレスの度合い等、生体情報に関わるものであれば、これら被測定情報のうち少なくともいずれか１を含むようにしてもよい。さらに、健康診断の検査項目に応じた生体情報を取得するようにしてもよい。例えば、血圧、心拍数、ＡＬＴ（ＧＰＴ）、γ−ＧＴ（γ−ＧＴＰ）等を含めてもよい。
【００２８】
次に、上記第１の実施形態に係る生体情報の自己管理システム２を用いた生体情報の自己管理方法について、生体情報の自己管理システム２の作用に基づいて説明する。上記第１の実施形態に係る生体情報の自己管理システム２を用いた自己管理方法は、図６に示すように、まず、利用者Ｕの腕にアプリケータ９を用いて血糖値センサ３を装着する（図３の（Ａ）参照）。次に、血糖値センサ３により利用者Ｕの血糖値を測定し、血糖値の測定値と測定時間（測定日を含む）を取得して記録する。測定は所定時間（本実施形態では、１分）毎に経時的に行われる（第１のステップＳ１）。次に、所定時間（例えば２４時間）経過後、リーダー４により血糖値センサ３に記録された経時的データ（測定値データと測定時間データ）を非接触で読み取る（第２のステップＳ２）。そして、リーダー４により経時的データが読み取られると、次に、リーダー４からＰＣ５に経時的データを送信する。ＰＣ５はリーダー４から経時的データを受け取ると、データ処理して図または表の形で結果レポートＲを作成する（第３のステップＳ３）。データ処理時、利用者Ｕの要求に基づいて、例えば、図４に示すような１日、２４時間の血糖値の遷移を単純に示すグラフとしたり、図５の（Ａ）、（Ｂ）に示すような食後高血糖タイプの人に適用されるような食後血糖値の測定値とするグラフとすることができるようになっている。第３のステップＳ３で結果レポートＲが作成されると、ＰＣ５は、予め設定された所定時間（２４時間）、利用者Ｕの携帯端末７に表示させるのを阻止し、利用者Ｕが結果レポートＲを閲覧できないようにしている（第４のステップＳ４）。第４のステップで、所定時間が経過すると、ＰＣ５は送信部６を通じて結果レポートＲを利用者Ｕの携帯端末７に送信して表示させる（第５のステップＳ５）。
【００２９】
こうして、利用者Ｕは、所定時間経過後（図４および図５参照）の血糖値の遷移を自在に見ることができる。このように、利用者Ｕは、自分の意思に基づいて、いつでもどこでも自らの携帯端末７に自らの血糖値情報（生体情報）を表示することができ、自らの生体状況を簡便に把握することができる。言い換えれば、従来のように外部からの画一的なアドバイスや提案に頼ることがないので、自発的、自律的に好ましい摂食行動を取ったり、適切な運動を行うようにセルフマネージメントすることができる。また、心理的負担が少ないので、個人の自主性に委ねることで生体情報チェックの継続性を確保することができる。また、利用者Ｕは所定時間結果を見ることができないので、リアルで素の生体情報を得ることができる。
【００３０】
次に、本発明の第２の実施形態に係る生体情報の自己管理システム２２について説明する。本発明の第２の実施形態に係る生体情報の自己管理システム２２は、上記第１の実施形態に係る生体情報の自己管理システム２が、血糖値センサ３の経時的データに基づいてデータ処理し結果レポートＲを作成するようにしていたのに対し、利用者Ｕの携帯端末７を通じて生活情報を入力し、この入力された生活情報を経時的データと関連付けしてデータ処理に反映させるようにした点が異なる外は、上記第１の実施形態に係る生体情報の自己管理システム２とほぼ同一の構成を備えている。すなわち、本発明の第２の実施形態に係る生体情報の自己管理システム２２は、携帯端末７が生活情報を入力する生活情報入力部（生活情報入力手段）２３を備え、ＰＣ５は、携帯端末７の生活情報入力部２３から受け取った生活情報を生体情報（血糖値の測定値と測定時間）と関連付けしてデータ処理し、結果レポートＲ１に反映させるようになっている。
【００３１】
第２の実施形態に係る生体情報の自己管理システム２２は、図７に示すように、まず、利用者Ｕにアプリケータ９を用いて血糖値センサ３を装着し、血糖値センサ３により利用者Ｕの血糖値の測定値と測定時間を取得して経時的に記録し（第１のステップＳ１１）、次に、所定時間または所定時間経過後、リーダー４により血糖値センサ３に記録された経時的データが読み取られると（第２のステップＳ１２）、リーダー４からＰＣ５に経時的データを送信し、ＰＣ５はリーダー４から受け取った経時的データをデータ処理するようになっている（第３のステップＳ１３）。
【００３２】
ところで、第２の実施形態に係る生体情報の自己管理システム２２では、図８および図９に示すように、第１のステップＳ１１で、利用者Ｕが血糖値センサ３を装着している間、利用者Ｕの携帯端末７を通じて、生活情報を入力してＰＣ５に送信するようになっている（第４のステップＳ１４）。生活情報は、例えば、摂取する食事の写真を撮影した食事内容、食事時間（食事開始時刻、食事終了時刻）、運動した内容、運動した時間（運動開始時刻と運動終了時刻）、起床時刻と就寝時刻などが含まれる。また、生活情報には、心理的ストレスの度合い、服薬情報、保健機能性食品の摂取情報などが含まれる。利用者Ｕの携帯端末７の生活情報入力部２３を通じてこれら生活情報がＰＣ５に送信されると、ＰＣ５は、携帯端末７から受け取った生活情報を、生体情報（血糖値の測定値と測定時間）と関連付けしてデータ処理し、結果レポートＲ１に反映させるようになっている（第５のステップＳ１５）。第５のステップＳ１５で生活情報が反映された結果レポートＲ１が作成されると、ＰＣ５は、予め設定された所定期間（例えば数日から数週間のうち適切な期間、本実施形態では、２週間）、利用者Ｕの携帯端末７に表示させるのを阻止し、利用者Ｕが結果レポートＲ１を閲覧できないようにしている（第６のステップＳ１６）。第６のステップで、所定期間（２週間）が経過すると、ＰＣ５は送信部６を通じて結果レポートＲ１を利用者Ｕの携帯端末７に送信して表示させるようになっている（第７のステップＳ１７）。
【００３３】
図１０の（Ａ）ないし（Ｃ）はそれぞれ、生活情報を反映させた食後血糖値と食後経過時間との関係を示すグラフで、（Ａ）は食事内容と食後経過時間との関係を、（Ｂ）は運動と食後経過時間との関係を、（Ｃ）は保健機能性食品の摂取と食後経過時間との関係をそれぞれ示しており、利用者Ｕは、利用者自らが摂食行動や運動との因果関係を簡便に把握し、自発的、自律的に好ましい摂食行動を取ったり、適切な運動を行うよう自己管理を行うことができる。必要な場合には、このような結果レポートＲ１に基づいて専門家から利用者に対応した適切なアドバイスを受けることも可能である。
【００３４】
図１１は、結果レポートＲ１のイメージを示す説明図で、食前と食後のグルコース値を比較し、上昇幅が大きい順に表示したり、１日ごとの血糖トレンドとイベントを１週間分表示したり、各食事開始から３時間の血糖トレンドを切り出して表示することができるようになっている。図１１は、結果レポートＲ１の一例を示す説明図で、２週間合計の最大値、最小値、平均値を表示している。このため、継続的な実施により成果が直ちにわかるようになっている。図１２は、結果レポートＲ１において、生活習慣と血糖トレンドとの関係を示す説明図で、１日ごとの最大値、最小値、平均値を表示するだけでなく、食事記録、活動記録の表示、起床時間、就寝時間の表示をするようにしている。図１３は、結果レポートＲ１において、食事ごとのグルコース値変動を示す説明図で、食事の上昇値、面積値の表示をするようになっている。図１４は、結果レポートＲ１に基づいて、気をつけるべき食事をランキングして示す説明図で、食事開始時点から３時間を切り取り、上昇値の差が大きかった順にランキング表示するようにしている。図１５は、結果レポートＲ１を活用する例を示す説明図で、利用者Ｕが結果レポートＲ１を見てセルフチェックしている様子を示している。
【００３５】
このように、本発明の第２の実施形態に係る生体情報の自己管理システム２２では、利用者Ｕは、取得した生体情報と生活情報を関連付けして結果レポートＲ１に反映させているので、利用者自らが摂食行動や運動との因果関係を簡便に把握し、自発的、自律的に好ましい摂食行動を取ったり、適切な運動を行うよう自己管理を行うことができる。また、従来のように外部からの画一的なアドバイスや提案を受けて行動するような心理的負担が少ないので、個人の自主性に委ねることで生体情報チェックの継続性を確保することができる。さらに、利用者Ｕは所定期間、結果を見ることができないので、リアルで素の生体情報を得ることができ、マスクされた期間を振り返り、日常生活についての問題点を把握して改善につながりやすくなり、利用者のモチベーションを良好に維持することができる。
【００３６】
なお、上記各実施形態では、血糖値センサ（生体情報取得装置）３を身体に装着するようにしているが、これに限られるものではなく、身体と分離した状態で利用者に持ち運びされたり、自宅などで夜間のみ使用するようにしてもよい。また、リーダー（生体情報読み取り装置）４は、携帯して用いるようにしてもよいし、自宅等で帰宅時に用いるようにしてもよい。さらに、図５の（Ｂ）に示すように、自己の生体情報と標準的な健全なモデル情報とを比較して自己の生体情報に基づいてセルフマネージメントするようにしているが、自己の生体情報と標準的な健全なモデル情報とを、生活情報と関連付けして比較し表示するようにしてもよい。
【００３７】
次に、本発明の第３の実施形態に係る生体情報の自己管理システム１０２について説明する。本発明の第３の実施形態に係る生体情報の自己管理システム１０２は、上記第１第２の実施形態に係る生体情報の自己管理システム２、２２が、（１）血糖値センサ３からリーダー４を介してＰＣ５に生体情報を送信してデータ処理し結果レポートＲを作成して利用者Ｕの携帯端末７に送信し、表示したり、（２）利用者Ｕの携帯端末７に生活情報を入力し、生体情報と生活情報とを関連付けしてデータ処理し、結果レポートＲ１を作成して利用者Ｕの携帯端末Ｕに送信して表示し、セルフチェックによる自己管理を行うようにしているのに対し、図１６に示すように、（１）利用者Ｕ１の携帯端末１０７を、血糖値センサ３に記録された経時的生体情報を読み取り可能に構成するととともに、この携帯端末１０７自体またはインターネットを介して遣り取り可能に接続されたクラウドコンピュータ、専門機関のサーバによりデータ処理して結果レポートＲ２を利用者Ｕ１の携帯端末１０７に表示するようにした点、（２）利用者Ｕ１は、作成された自己管理用の結果レポートＲ２を、予め決められた専門機関Ｓの端末１０５Ａ、１０５Ｂに送信すると、この結果レポートＲ２に基づいて、専門機関Ｓに属する医師、保健師、管理栄養士等の専門家から、あるいは専門機関Ｓのサーバ２０５（またはクラウドコンピュータ）のＡＩから、利用者Ｕ１に応じたアドバイスが受けられるようになっている点が異なっている外は、ほぼ前記各実施形態に係る生体情報の自己管理システム２、２２と同一の構成を備えている。
【００３８】
すなわち、第３の実施形態に係る生体情報の自己管理システム１０２は、利用者Ｕ１の血糖値情報（生体情報）を取得して経時的に記録する血糖値センサ（生体情報取得手段）３と、この血糖値センサ３から経時的に記録された血糖値情報を読み取り、読み取られた血糖値の経時的データをデータ処理するＣＰＵ（情報処理部、情報処理手段）１０６およびデータ処理された結果レポートＲ２を端末の画面に表示する表示部（表示手段）１１０を備えた携帯端末（モバイルフォン、タブレット端末、ノートＰＣ）１０７とを備えて構成される。
【００３９】
携帯端末１０７は、通信を通じて専門機関Ｓの端末１０５Ａ、１０５Ｂと遣り取り可能に接続される。ここでいう専門機関Ｓは、医師、保健師、管理栄養士等の専門家が属する機関、会社、組織をいう。専門機関Ｓには、医師、保健師、管理栄養士等の専門家が利用するＡＩも含まれる。専門機関Ｓの端末１０５Ａ、１０５Ｂは、利用者Ｕ１の依頼を受けて、利用者Ｕ１の端末１０７からデータ処理された情報である結果レポートＲ２を受け取ると、専門機関Ｓの専門家、例えば、医師Ｄｃが、端末（ＰＣ）１０５Ａを通じて受け取った結果レポートＲ２に基づいて、利用者Ｕ１に対する医療的なアドバイスを作成し、そのアドバイスを利用者Ｕ１の携帯端末１０７に返送するようになっている。例えば、専門機関Ｓの専門家が保健師であれば、利用者Ｕ１の結果レポートＲ２に基づいて健康や生活習慣について利用者に応じたアドバイスを、管理栄養士であれば、食事の面でのアドバイスを送るようになっている。また、医師、保健師、管理栄養士等の専門家がＡＩを用いてアドバイスを作成する際には、利用者Ｕ１について、例えば、家族の病歴や生活習慣の状態を把握して、将来、糖尿病を発症するリスクの確率（○○％）を判定したり、現在、糖尿病のどの段階にあるか判定したりすることができる。つまり、例えば、医師や保健師が利用者Ｕ１から直接症状や生活習慣の情報を限られた時間で聞き出すには限界があるのに対し、長期間にわたり蓄積された生体情報や生活習慣の情報をＡＩで分析して、専門家のアドバイスに役立てることができるようになっている。
【００４０】
また、第３の実施形態に係る生体情報の自己管理システム１０２では、利用者Ｕ１の携帯端末１０７、専門機関のサーバ１０５Ａ、１０５Ｂ、クラウドコンピュータのいずれかに、ある利用者について異なる分野の専門機関の専門家の端末を連携させ、当該利用者に関する異なる分野の専門機関の専門家のアドバイスを、当該異なる専門家同士に閲覧可能に提供するプラットホーム手段を備えて構成される。
【００４１】
この第３の実施形態に係る生体情報の自己管理システム１０２では、図１７に示すように、まず、利用者Ｕ１の腕にアプリケータ９を用いて血糖値センサ３を装着する（図３の（Ａ）参照）。次に、血糖値センサ３により利用者Ｕ１の血糖値を測定し、血糖値の測定値と測定時間（測定日を含む）を取得して経時的に記録する。（第１のステップＳ１０１）。次に、所定時間（例えば２４時間）経過後、または所定期間（例えば数日）経過後、利用者Ｕ１の携帯端末１０７により血糖値センサ３に記録された経時的データ（測定値データと測定時間データ）を非接触で読み取る（第２のステップＳ１０２）。携帯端末１０７は血糖値センサ３から経時的データを受け取ると、データ処理して図または表の形で結果レポートＲ２を作成して表示する（第３のステップＳ１０３）。データ処理時、上記第１第２の実施形態と同様に、利用者Ｕ１の要求に基づいて、例えば、図４に示すような１日、２４時間の血糖値の遷移を単純に示すグラフとしたり、図５の（Ａ）、（Ｂ）に示すような食後高血糖タイプの人に適用されるような食後血糖値の測定値とするグラフとすることができるようになっている。このように、第３の実施形態に係る生体情報の自己管理システム１０２では、血糖値センサ３と利用者Ｕ１の携帯端末１０７とだけで、セルフチェックによる自己管理が行えるようになっている。
【００４２】
また、第３の実施形態に係る生体情報の自己管理システム１０２では、上記第２の実施形態のように、利用者Ｕ１が携帯端末１０７に生活情報を入力し、血糖値情報（生体情報）と生活情報を関連付けして結果レポートＲ２に反映させるようにしている(第４のステップＳ１０４)。第４のステップＳ１０４で生活情報が反映された結果レポートＲ２が作成されると、携帯端末１０７は、予め設定された所定期間（本実施形態では、例えば２週間）、利用者Ｕ１の携帯端末１０７に表示させるのを阻止し、利用者Ｕ１が結果レポートＲ２を閲覧できないようにしている（第５のステップＳ１０５）。第５のステップＳ１０５で、所定期間（２週間）が経過すると、利用者Ｕ１の携帯端末１０７に結果レポートＲ２を表示するようになっている（第６のステップＳ１０６）。
【００４３】
さらに、第３の実施形態に係る生体情報の自己管理システム１０２では、第６のステップＳ１０６で、結果レポートＲ２を作成して表示すると、利用者Ｕ１は、この結果レポートＲ２を、利用者Ｕ１が依頼した専門機関Ｓの端末１０５Ａ、１０５Ｂに送信できるようになっている（第７のステップ１０７）。専門機関Ｓの専門家、例えば、医師Ｄｃは、依頼を受けた利用者Ｕ１から、端末１０５Ａを通じて結果レポートＲ２を受け取ると、結果レポートＲ２に基づいて、利用者Ｕ１に対する医療的なアドバイスを作成し、そのアドバイスを利用者Ｕ１の携帯端末１０７に返送するようになっている（第８のステップＳ１０８）。この第８のステップＳ１０８では、専門的なアドバイスを、利用者Ｕ１の携帯端末１０７に返送するのに代えて、図１８に示すように、医療専門家や保健師あるいは栄養管理師と面接してアドバイスを受けるようにしてもよい。こうして利用者Ｕ１は、セルフチェック用の自己管理システムで用いられる結果レポートＲ２を利用して、専門家から利用者に応じたきめ細かいアドバイスを受けることができるようになっている。また、医師、保健師、管理栄養士等の専門家がＡＩを用いてアドバイスを作成する際には、利用者Ｕ１について、長期間にわたる蓄積された生体情報や生活習慣の情報、あるいは家族の病歴情報等をＡＩで分析して、専門家のアドバイスに役立てることができる。つまり、現在、ある病気（例えば、糖尿病や肝臓病）のどの段階にあるか判定したり、その病気の将来の発症リスクを判定したりすることができるので、専門家は精度の向上したきめ細かいアドバイスを提供することができる。
【００４４】
また、本実施形態に係る生体情報の自己管理システム１０２では、プラットホーム手段により、ある利用者について異なる分野の専門機関の専門家の端末、例えば、医療機関（医者）の端末、保健所（保健師）の端末や各種施設（医療機関や保健所の管理栄養士）の端末を連携させ、当該利用者に関する異なる分野の専門機関の専門家のアドバイスを、当該異なる専門家同士に閲覧可能に提供するようにしているので、第８のステップＳ１０８で、結果レポートＲ２に基づいて提供されるアドバイスについて、特定の分野の専門機関の専門家だけでなく、利用者に関わる専門家間で連携して情報を共有することができるようになっている（第９のステップＳ１０９）。このように、異なる分野の専門機関の専門家が、ある利用者について、他の専門家と連携し他の専門家のアドバイスを閲覧して参照し、利用者にアドバイスを行うことができるので、日常生活についてよりきめ細かく、具体的で正確なアドバイスを提供することができる。利用者は、専門家との面接または端末を通じて、異なる分野の専門機関の専門家からの多元的なアドバイスを一元的にまとめて受け取ることができる。専門機関の専門家は、利用者のマスクされた期間について、リアルで素の生体情報が入手できるので、適切なアドバイスをすることができる。
【００４５】
なお、上記各実施形態では、マスク手段により所定時間または所定期間、結果レポートＲ、Ｒ１、Ｒ２の表示を阻止するようにしているが、これに限られるものではなく、短時間毎に表示させて、常に結果が気になる利用者のモチベーション維持をはかるようにしてもよいことは言うまでもない。
【符号の説明】
【００４６】
２  生体情報の自己管理システム
３  血糖値センサ（生体情報取得手段）
４  リーダー（読み取り手段）
５  ＰＣ（情報処理手段）
６  送信部（送信手段）
７  携帯端末（端末）
Ｕ  利用者
【図１】
2020123084.tif 000003
【図２】
2020123084.tif 000004
【図３】
2020123084.tif 000005
【図４】
2020123084.tif 000006
【図５】
2020123084.tif 000007
【図６】
2020123084.tif 000008
【図７】
2020123084.tif 000009
【図８】
2020123084.tif 000010
【図９】
2020123084.tif 000011
【図１０】
2020123084.tif 000012
【図１１】
2020123084.tif 000013
【図１２】
2020123084.tif 000014
【図１３】
2020123084.tif 000015
【図１４】
2020123084.tif 000016
【図１５】
2020123084.tif 000017
【図１６】
2020123084.tif 000018
【図１７】
2020123084.tif 000019
【図１８】
2020123084.tif 000020